(57)【要約】【課題】二部品で構成されていたフロントパネルとファンケースとを一部品で構成できるようにすると共に、その部品点数を削減できるようにする。【解決手段】空調装置１００は、所定形状のパネル本体部８０と、このパネル本体部８０の所定位置から落ち込むように一体成形された所定形状の部品取付用の循環ファンカバー部８１と、この循環ファンカバー部８１の所定位置に開口された空気流通用の開口部８２とを備えるものである。この構成によれば、循環ファンカバー部８１を空調装置のファンケースとして機能させることができ、当該循環ファンカバー部８１の周囲のパネル本体部８０をフロントパネルとして機能させることができる。【選択図】    図１
2011242132.tif 000002
【特許請求の範囲】
【請求項１】
空調本体部と、
前記空調本体部の前面に取り付けられたフロントパネルとを備え、
前記フロントパネルは、
所定形状の外観本体と、
前記外観本体の所定位置から落ち込むように一体成形された所定形状の部品取付用の段差底部と、
前記段差底部の所定位置に開口された空気流通用の開口部とを有することを特徴とする空調装置。
【請求項２】
前記開口部は、風の向きを規制する形状を有していることを特徴とする請求項１に記載の空調装置。
【請求項３】
前記段差底部には、複数個の係合用の孔が設けられることを特徴とする請求項１に記載の空調装置。
【請求項４】
前記段差底部に対峙する位置には、所定形状の格子部材が取り付けられることを特徴とする請求項１に記載の空調装置。
【請求項５】
前記格子部材には、一体形成された所定形状のフィルタを有していることを特徴とする請求項４に記載の空調装置。
【請求項６】
前記段差底部の所定位置に被係合部が設けられ、
前記格子部材の所定位置に係合部が設けられ、
前記格子部材の係合部を前記段差底部の被係合部に嵌合することにより、前記格子部材が前記外観本体に取り付けられることを特徴とする請求項１に記載の空調用装置。
【請求項７】
送風手段を備えた空調装置本体と、
前記空調装置本体の前面に設けられるフロントパネルとを備え、
前記フロントパネルは、
前記送風手段の少なくとも一部を覆うカバー部を有することを特徴とする空調装置。
【請求項８】
空調装置を備えた室であって、請求項１乃至７に記載の空調装置を備えたことを特徴とする室。
【発明の詳細な説明】
【技術分野】
【０００１】
本発明は、浴室や脱衣所等の室内に設置され、そのサニタリー空間を暖房や換気する浴室乾燥暖房機等に適用して好適な空調装置及びそれを備えた室に関するものである。
【背景技術】
【０００２】
従来より、浴室に温風を送出して暖房を行ったり、洗濯物の乾燥や換気を行う機能を備えた浴室用の空調装置が提供されている。このような浴室空調装置は、空気の吸込口や吹出口を有するフロントパネルが機器本体の下面に備えられる（例えば、特許文献１参照）。
【０００３】
図１０Ａは、この種のフロントパネルを備えた従来例に係る浴室空調装置１０の構成例を示す斜視図であり、図中、浴室空調装置１０から図１０Ｂに示すフロントパネル７８を取り除いた状態を示している。
【０００４】
図１０Ａに示す浴室空調装置１０は、ファン６８を含む機器本体６１と、外観部品となるフロントパネル７８、吸込用のフィルタ６７という３つのパーツから構成されている。フィルタ６７は、フロントパネル７８の裏側に設けられる。更に、機器本体６１は、ファン６８やファンモータ（図示せず）を含むキャビネットと空気を吹き出すための必要なファンケース６９という部品から構成されている。
【０００５】
フロントパネル７８の四隅には、係合用の４個の孔部６２ａ〜６２ｂが開口されている。フロントパネル７８は、この孔部６２ａ〜６２ｂを利用して機器本体６１に取り付けるようになされる。この種の孔部６２ａ〜６２ｂは、段付き穴形状を成し、ネジ頭部が穴部に隠され、そのネジ固定後に、図示しない化粧用の部材を嵌合するようにして使用される。
【先行技術文献】
【特許文献】
【０００６】
【特許文献１】特開２００３−２９４２８９号公報
【発明の概要】
【発明が解決しようとする課題】
【０００７】
ところで、特許文献１に見られる換気装置等のフィルタ装着用のフロントパネル構造の浴室空調装置１０において、次のような問題がある。
【０００８】
ｉ．浴室空調装置１０の空調部材を大きく分類すると、機器本体６１、ファンケース６９、フィルタ６７及びフロントパネル６８の合計４パーツで構成されている。従って、部品点数が多くなり、組み付けや、部品単価が上昇するおそれがある。
【０００９】
ii．フロントパネル６８を取り付けるための４個の孔部６２ａ〜６２ｂを隠蔽する化粧用の部材が外部から見えてしまうため、それらの孔部を隠蔽するための蓋部材が必要となってしまった。
【００１０】
そこで、本発明は、このような課題を解決するためになされたものであって、二部品で構成されていたフロントパネルとファンケースとを一部品で構成できるようにすると共に、その部品点数を削減できるようにした空調装置及びこれを備えた室を提供することを目的とする。
【課題を解決するための手段】
【００１１】
上述した課題を解決するため、本発明に係る第１の空調装置は、空調本体部と、この空調本体部の前面に取り付けられたフロントパネルとを備え、フロントパネルは、所定形状の外観本体と、この外観本体の所定位置から落ち込むように一体成形された所定形状の部品取付用の段差底部と、この段差底部の所定位置に開口された空気流通用の開口部とを有することを特徴とするものである。
【００１２】
本発明に係る第１の空調装置によれば、所定形状の部品取付用の段差底部が、外観本体の所定位置から落ち込むように一体成形されている。この段差底部の所定位置には空気流通用の開口部が開口されている。従って、段差底部を空調装置のファンケースとして機能させることができ、当該段差底部の周囲の外観本体をフロントパネルとして機能させることができる。
【００１３】
本発明に係る第２の空調装置は、送風手段を備えた空調装置本体と、この空調装置本体の前面に設けられるフロントパネルとを備え、このフロントパネルは、送風手段の少なくとも一部を覆うカバー部を有することを特徴とするものである。
【００１４】
本発明に係る第２の空調装置によれば、フロントパネルが送風手段の少なくとも一部を覆うカバー部を有しているので、送風手段のファンケースとして機能させることができる。
【００１５】
本発明に係る室は、空調装置を備えた室であって、本発明に係る第１又は第２の空調装置を備えたことを特徴とするものである。
【００１６】
本発明に係る室によれば、本発明に係る第１又は第２の空調装置を備えているので、従来方式で二部品で構成されていたフロントパネルとファンケースとを一部品で構成できるようになり、第１又は第２の空調装置の部品点数を削減することができる。
【発明の効果】
【００１７】
本発明に係る第１の空調装置によれば、外観本体の所定位置から落ち込むように一体成形された所定形状の部品取付用の段差底部を備え、この段差底部の所定位置には空気流通用の開口部が開口されて構成されるものである。
【００１８】
この構成によって、段差底部を空調装置のファンケースとして機能させることができ、当該段差底部の周囲の外観本体をフロントパネルとして機能させることができる。これにより、従来方式で二部品で構成されていたフロントパネルとファンケースとを一部品で構成できるようになり、空調用パネルの部品点数を削減することができる。
【００１９】
本発明に係る第２の空調装置によれば、送風手段の少なくとも一部を覆うカバー部を有したフロントパネルを備えるものである。
【００２０】
この構成によって、カバー部を送風手段のファンケースとして機能させることができ、部品点数の削減できるようになる。
【００２１】
本発明に係る室によれば、本発明に係る第１又は第２の空調装置を備えているので、従来方式で二部品で構成されていたフロントパネルとファンケースとを一部品で構成できるようになり、第１又は第２の空調装置の部品点数を削減することができる。
【図面の簡単な説明】
【００２２】
【図１】本発明に係る第１の実施例としての浴室空調装置１００の構成例を示す分解斜視図である。
【図２】Ａ及びＢは、ファン８と循環ファンカバー部８１との位置関係例を示す図である。
【図３】Ａ及びＢは、フロントパネル２８の構成例を示す上面図及びそのＢ−Ｂ矢視断面図である。
【図４】浴室空調装置１００の組立例（その１）を示す工程図である。
【図５】浴室空調装置１００の組立例（その２）を示す工程図である。
【図６】浴室空調装置１００の制御系の構成例を示すブロック図である。
【図７】第２実施例としてのフロントパネル２８’の構成例を示す斜視図である。
【図８】Ａ及びＢは、循環吸込グリル８４’のフィルタ４７の構成例を示す上面及びその断面の拡大図である。
【図９】循環吸込グリル８４’の装着後の構成例を示す斜視図である。
【図１０】従来例に係る浴室空調装置１０の構成例を示す斜視図である。
【発明を実施するための形態】
【００２３】
以下、図面を参照して、本発明に係る実施の形態としての空調装置及びこれを備えた室について説明をする。
【実施例１】
【００２４】
図１は、本発明に係る第１の実施例としての浴室空調装置１００の構成例を示す分解斜視図である。  
図１に示す浴室空調装置１００は、本発明に係る空調装置の一例を構成し、また、室の一例を構成する浴室や脱衣所等の室内に設置され、そのサニタリー空間を暖房や換気する浴室乾燥暖房機能を有している。
【００２５】
浴室空調装置１００は、空調本体部１、フロントパネル２８及び循環吸込グリル８４を有して構成される。空調本体部１には、循環ユニット２が設けられる。循環ユニット２は、循環吸込グリル８４から吸い込んだ空気を空調本体部１の循環吹出口１１又は図示しない換気吹出口から吹き出すものである。循環吹出口１１には、フロントパネル２８の格子状の循環吹出グリル１１ａが位置するようになされる。
【００２６】
循環ユニット２は、例えば、循環・換気用のファン８及び循環ファンケース９を有して構成される。ファン８は、多翼の羽根車で構成され、その回転軸が垂直方向となる向きで、空気を吸い込んで吹き出すようになされる。循環ファンケース９は、回転駆動されるファン８により吸い込まれて吹き出す空気の風路を形成する。
【００２７】
空調本体部１の前面には、フロントパネル２８が取り付けられる。フロントパネル２８は、パネル本体部８０、循環ファンカバー部８１及び開口部８２を有して構成される。パネル本体部８０は、外観本体の一例を構成し、角部が丸みを帯びた長方形状を有している。パネル本体部８０は、例えば、射出金型装置を使用して樹脂射出成形される。パネル本体部８０には格子状の循環吹出グリル１１ａが形成（開口）されている。
【００２８】
パネル本体部８０の所定位置、この例では、循環吹出グリル１１ａに隣接した位置には、部品取付用の段差底部の一例を構成する循環ファンカバー部８１が設けられる。循環ファンカバー部８１は、上述の循環ファンケース９と位置合わせするように設計され、例えば、その中央位置から落ち込むようにパネル本体部８０と一体成形されて成る。この例で、循環ファンカバー部８１には、空気流通用の開口部８２が設けられる。開口部８２は、例えば、循環ファンカバー部８１の中央位置に開口され、風の向きを規制するガイド形状を有している。例えば、図１の例では、直径を異にする円形状のガイド壁部が上方にせり上がる形状で形成されている。
【００２９】
上述のフロントパネル２８で循環ファンカバー部８１に対峙する位置には、格子部材の一例を構成する循環吸込グリル８４が取り付けられる。循環吸込グリル８４は格子形状の開口部を有しており、この開口部は循環吸込口４６を形成する。循環吸込グリル８４の一辺には、突起状の取手４８が備えられ、フロントパネル２８から循環吸込グリル８４を取り外す際に使用される。取手４８が設けられた辺の反対側の辺には、凸状の係合部４９ａ〜４９ｃが設けられている。フロントパネル２８には、係合部４９ａ〜４９ｃが嵌合される凹状の被係合部８９ａ〜８９ｆが設けられる（図３参照）。
【００３０】
図２Ａ及びＢは、ファン８と循環ファンカバー部８１との位置関係例を示す図である。図２Ａは、浴室空調装置１の構成例を示す上面図であり、図２Ｂは、図２ＡのＡ−Ａ矢視断面に、フロントパネル２８の断面図を組み合わせた図である。  
図２Ａに示す空調本体部１は、下面が開口した鉄等の金属製のケースの内部にファン８が取り付けられる。空調本体部１は、下面の形状が長方形であり、ファン８は、羽根車が空調本体部１の長手方向の一方の側に偏って配置される。
【００３１】
循環ファンケース９は、羽根車の軸方向に沿った下面が開口して循環吸込口４６が形成される。また、循環ファンケース９は、羽根車の回転による空気の吹出方向を、空調本体部１の長手方向に沿った方向とした吹出風路が形成される。ここで、羽根車の直径及び循環ファンケース９の大きさは、空調本体部１の短手方向の長さに合わせて設定される。
【００３２】
浴室空調装置１００は、吹出風路と連通した循環吹出口１１をファン８の下面に備える。循環吹出口１１は、羽根車が回転駆動されることによる空気の吹出方向に沿った空調本体部１の長手方向の他方の側に形成され、空調本体部１の長手方向に沿った辺の長さより、空調本体部１の短手方向に沿った辺の長さを長くした長方形の開口である。
【００３３】
浴室空調装置１は、ファン８の循環吹出口１１にヒータ１３を備える。ヒータ１３は加熱手段の一例を構成し、例えばＰＴＣヒータで構成され、ヒータ１３に通電されると、ヒータ１３が加熱されることで循環吹出グリル１１ａを通る空気が加熱され、循環吹出口１１から温風が吹き出すようになされる。
【００３４】
ここで、ヒータ１３は、棒状のヒータ部材１３ａに長手方向に沿って多数のフィン１５ｂが取り付けられた構成で、フィン１３ｂが並ぶ方向を、循環吹出口１１の長手方向に沿った向きとして循環吹出口１１に取り付けられる。
【００３５】
また、循環吹出口１１の短手方向の幅は、２本のヒータ１３が並べて取り付けられる長さを有し、この例では、２本のヒータ１３が循環吹出口１１の短手方向に並べて取り付けられる。なお、ヒータ１３の本数は例えば必要な出力に応じて設定され、１本のヒータ１３が取り付けられる構成でもよい。
【００３６】
更に、浴室空調装置１は、吹出風路と連通した図示しない排気口を、ファン８の側部に備える。排気口４２は、羽根車が回転駆動されることによる空気の吹出方向に沿った空調本体部１の長手方向の他方の側面に形成され、空調本体部１は、排気口に換気ダクト取付部２０が取り付けられる。
【００３７】
浴室空調装置１で循環ユニット２には、風路切替ダンパが備えられ、吸い込んだ空気を循環吹出口１１から吹き出すか、又は、屋外へ排出するかを切り替えるようになされる。風路切替ダンパ２１は、循環吹出口１１と排気口との間に設けられ、図示しないダンパモータの駆動力がカムを介して伝達され、軸を支点に回転して、循環吹出口１１と排気口との開閉動作を行う。
【００３８】
この例で、風路切替ダンパ２１が排気口を閉じる循環位置に設定されると、循環吹出口１１が開いて、循環吸込口４６から循環吹出口１１へ連通した循環風路が形成される。また、風路切替ダンパ２１が循環吹出口１１を閉じる換気位置に設定されると、排気口が開いて、循環吸込口４６から排気口へ連通した換気風路が形成される。風路切替ダンパ１２が、上述の循環位置と換気位置の間の循環換気位置に設定されると、循環吹出口１１と排気口の双方が開いて、循環風路と換気風路の双方が形成される。
【００３９】
図２Ａに示した浴室空調装置１の下には、図２Ｂに示すようにフロントパネル２８が取り付けられる。図２Ｂに示すファンモータ７は、羽根車の回転軸が鉛直方向となるように、循環ファンケース９に取り付けられる。
【００４０】
フロントパネル２８は、循環吸込グリル８４が取り付けられる領域に、循環ファンカバー部８１を有している。循環ファンカバー部８１には、開口部８２が設けられる。例えば、循環ファンカバー部８１を上にした場合に、その開口部８２は、直径を異にする円形状のガイド壁部が下方に垂れ下がる形状で形成されている。この例では、最下部の円形状のガイド部材の円中心と、ファン８の回転軸とがほぼ一致するように循環ファンモータ７が配置される。
【００４１】
このように、循環ファンカバー部８１を構成すると、空調本体部１において、循環ファンモータ７の取り付け位置を低く設定できるので、循環ファンモータ７の上部領域に他の空調手段、例えば、循環ユニット２の上方に、他の空調部材となる換気ユニットを配置できるようになる。これにより、空調本体部１の高さ方向への部品の張り出しを抑制しつつ多機能空調装置をコンパクトに構成できるようになる。
【００４２】
図３Ａ及びＢは、フロントパネル２８の構成例を示す上面図及びそのＢ−Ｂ矢視断面図である。  
図３Ａに示すフロントパネル２８は、循環吹出グリル１１ａ及び循環ファンカバー部８１を有している。循環ファンカバー部８１には、複数個のフロントパネル取付用（係合用）の孔８３ａ〜８３ｄが設けられる。例えば、４個の孔８３ａ〜８３ｄが循環ファンカバー部８１の隅部とその中央部に設けられ、パネル本体部８０を空調本体部１に取り付けるためのネジを通すように使用される。隅部には、孔８３ｃ及び８３ｄが設けられ、その中央部には孔８３ａ及び８３ｂが各々設けられる。この例で両側の側面中央部を円弧状に仕切壁４５で結ばれており、循環吸込口４６から吸い込んだ空気の吸込方向をガイドするようになされている。
【００４３】
フロントパネル２８で循環ファンカバー部８１の内部両側面の上部には、図１に示した循環吸込グリル８４の係合部４９ａ〜４９ｃを嵌合するための６個の凹状の被係合部８９ａ〜８９ｆが設けられる。この例で、左側面には被係合部８９ａ〜８９ｃが設けられ、右側面には被係合部８９ｄ〜８９ｆが設けられる。
【００４４】
また、取手４８の裏面側には、その左右に突起状の係合部４４ａ，４４ｂが設けられ、循環ファンカバー部８１の内部両側面の上部に位置する被係合部８８ａ，８８ｂ又は反対側の上部両側面に位置する被係合部８８ｃ，８８ｄに嵌合するようになされる。このように被係合部８９ａ〜８９ｆを左右対称に設けることで、フロントパネル２８に対して循環吸込グリル８４を取り付けた位置から、それを取り外し、循環吸込グリル８４を１８０°回転した、どちらの姿勢においても、円滑に取り付けることができる。これにより、フィルタ清掃時等における作業性を向上できるようになった。なお、フィルタは、循環吸込グリル８４を構成する格子状の開口部をメッシュ状に作り込んだものである。もちろん、これに限られることはなく、フィルタは、循環吸込グリル８４の裏面に設けてもよい（図７参照）。
【００４５】
この例で、開口部８２は、循環ファンカバー部８１の中央位置に開口され、風の向きを規制するガイド形状を有している。例えば、フロントパネル２８の循環ファンカバー部８１側を下にして置いたとき、直径を異にする円形状のガイド壁部が上方にせり上がる形状で形成されている。図３Ａに示した例では、８個の放射状に配置された格子部８２ａに３個の環状ガイド部８２ｂと、その中心に円形状部８２ｃを有している。このようなガイド壁部によって、横方向からの風の吸込を防止できるので、循環吹出口や循環吸込口等の近辺での、循環吹出グリル１１ａからの温風の吹出しと、循環吸込口４６における空気の吸い込みとの干渉を防止できるようになる。
【００４６】
続いて、浴室空調装置１００の組立例について説明をする。図４及び図５は、浴室空調装置１００の組立例（その１、２）を示す工程図である。
【００４７】
この例で、循環ファンカバー部８１の所定位置には、凹状の被係合部８９ａ〜８９ｆが設けられる。循環吸込グリル８４の所定位置には爪状の係合部４９ａ〜４９ｃが設けられる。グリル装着時、循環吸込グリル８４の係合部４９ａ〜４９ｃを循環ファンカバー部８１の被係合部８９ａ〜８９ｃ又は８９ｄ〜８９ｆに嵌合することにより、循環吸込グリル８４がパネル本体部８０に取り付けられる。
【００４８】
これを前提にして、まず、図４で、フロントパネル２８を空調本体部１に取り付ける。例えば、フロントパネル２８の循環ファンカバー部８１の隅部とその中央部に設けられた４個の孔８３ａ〜８３ｄに図示しない雄ネジを通し、空調本体部１に備えられた雌ネジに嵌合し、その後、螺合して雄ネジを固定する。
【００４９】
次に、空調本体部１に取り付けられたフロントパネル２８の循環ファンカバー部８１上に、循環吸込グリル８４を取り付ける。例えば、循環吸込グリル８４の取手４８が設けられていない側の辺を循環ファンカバー部８１の上方側面の一辺（例えば、被係合部８９ａ〜８９ｃ側）に位置合わせをする。このとき、循環吸込グリル８４の突起状の係合部４９ａが、パネル本体部８０の凹状の被係合部８９ａに嵌合され、同様にして、係合部４９ｂが被係合部８９ｂに嵌合され、係合部４９ｃが被係合部８９ｃに各々嵌合される。これらを支点にして、取手４８を反対側の辺に向かって軽く押すようにすると、取手４８の裏面左右に設けられた図示しない突起状の係合部が、循環ファンカバー部８１の内側左右の上側面に位置する２つの被係合部８８ａ、８８ｂに嵌合するようになされる。
【００５０】
これにより、図５に示すように循環吸込グリル８４をフロントパネル２８の面位置に取り付けることができる。このような係合構造で循環吸込グリル８４をフロントパネル２８に取り付けることで、係合用の孔８３ａ〜８３ｄを使用して止められたフロントパネル取付用のネジを目隠しできるようになる。従来方式のようなフロントパネル２８で目視容易で違和感があった、パネル表面の四隅のネジ孔を無くすことができる。換言すると、フロントパネル取付用のネジが外部から見えない構造とすることができた。
【００５１】
図６は、浴室空調装置１００の制御系の構成例を示すブロック図である。図６に示す電源部ユニット６３は、図示しないＣＰＵやメモリ等で構成される。電源部ユニット６３には、循環ユニット２の循環ファンモータ７、ヒータ１３及びダンパモータ２２とが接続される。
【００５２】
また、電源部ユニット６３には操作部３２が接続され、浴室空調装置本体と独立したリモートコントロール装置で、例えば浴室に隣接した図示しない洗面所の壁面等に取り付けられる。操作部３２は、例えば、入浴者等の利用者が運転モード等を入力すると、その運転モードを設定するための操作信号Ｓ３２を電源部ユニット６３に出力する。
【００５３】
電源部ユニット６３は、図示しないメモリ等に格納されたプログラムに従って、例えば暖房運転モード、換気運転モード、乾燥運転モード及び涼風運転モードを実行する。これら運転モードは、入浴者等の利用者が操作部３２を操作すること等により選択され、制御部３１は、選択された運転モードを実行するプログラムに従い循環ファンモータ７、ヒータ１３及びダンパモータ２２を制御するようになる。
【００５４】
電源部ユニット６３は、循環ファンモータ７へモータ駆動電圧Ｖ７を出力してモータ制御を実行する。同様にして、ヒータ１３にヒータ駆動電圧Ｖ１３を出力してヒータ制御を実行する。例えば、暖房運転モードや乾燥運転モード等が設定されると、ヒータ駆動電圧Ｖ１３をヒータ１３に出力し、循環用のファン８を協調して温風を吹き出すようになされる。
【００５５】
また、ダンパモータ２２へダンパ駆動電圧Ｖ２２を出力してダンパ制御を実行する。例えば、換気運転モードや、涼風運転モード等が設定されたとき、ダンパモータ２２へダンパ駆動電圧Ｖ２２を出力して、ダンパ２１を駆動して風路を切替えるようになされる。ダンパ２１は風路切替手段の一例を構成し、換気ユニット３から送り込まれた空気を循環吹出グリル５から吹き出すか、屋外へ排出するかを切り替えるようになされる。
【００５６】
このように、第１の実施例としての浴室空調装置１００によれば、本発明に係る空調用のフロントパネル２８が備えられ、所定形状の部品取付用の循環ファンカバー部８１が、パネル本体部８０のほぼ中央位置から落ち込むように一体成形されている。この循環ファンカバー部８１の所定位置には、直径を異にする円形状のガイド壁部が上方にせり上がる形状の吸込用の開口部８２が開口されている。
【００５７】
従って、当該フロントパネル２８の循環ファンカバー部８１を空調本体部１のファンケースとして機能させることができ、当該循環ファンカバー部８１の周囲のパネル本体部８０を外観パネルとして機能させることができる。これにより、従来方式で二部品で構成されていたフロントパネルとファンケースとを一部品で構成できるようになり、当該浴室空調装置１００の部品点数を削減することができる。
【実施例２】
【００５８】
図７は、第２実施例としてのフロントパネル２８’の構成例を示す斜視図である。
【００５９】
この実施例で、循環吸込グリル８４’を構成する格子状の開口部８２にメッシュ状のフィルタ４７を作り込んだものである。すなわち、循環吸込グリル８４’の循環吸込口４６がフィルタ構造を成している。このようにすると、空調本体部１からパネル本体部８０を外さなくても、パネル本体部８０から循環吸込グリル８４を外すことで容易にフィルタ４７を清掃できるようになる。
【００６０】
図７に示すフロントパネル２８’は、循環吹出グリル１１ａ、循環ファンカバー部８１及び循環吸込グリル８４’を有している。循環吸込グリル８４’は、一体形成された格子状の循環吸込口４６を有している。循環吸込グリル８４’は、第１の実施例と同様にしてフロントパネル２８’に取り付けられる。循環吸込グリル８４’の取手４８が設けられた側の辺には、係合部４４ａ及び４４ｂが設けられる。その他、第１の実施例と同じ名称及び符号のものは同じ機能を有するのでその説明を省略する。
【００６１】
図中、波線楕円Ｉに示す循環吸込口４６の部分を.図８に示している。図８Ａ及びＢは、循環吸込グリル８４’のフィルタ４７の構成例を示す上面及びその断面の拡大図である。
【００６２】
図８Ａに示す循環吸込グリル８４’は、グリル本体４１及びフィルタ４７を有している。例えば、フィルタ４７は、循環吸込グリル８４’で格子状を成す循環吸込口４６にメッシュ状に形成されている。循環吸込口４６は、横格子部４２、縦格子部４３及びフィルタ４７から構成される。例えば、横格子部４２及び縦格子部４３は、グリル本体４１の開口部で所定の間隔で縦横に配置されている。
【００６３】
フィルタ４７は、循環吸込口４６を型抜きする金型のコアとキャビティとの間に、別部品となる樹脂又は金属性の網部材を挟み込んで形成するようになされる。この例で、フィルタ４７がグリル本体４１、横格子部４２及び縦格子部４３を成形する樹脂で押え込まれるように、金型において網部材を配置するとよい。例えば、循環吸込グリル８４’の仕上げ底面よりも、わずかに、網部材を浮かせて配置する。
【００６４】
これにより、図８Ｂに示すようなフィルタ４７を循環吸込口４６の部分に形成することができる。この例では、グリル本体４１、横格子部４２及び縦格子部４３の仕上げ底面よりも、わずかに、上方の位置にフィルタ４７を形成することができるようになる。
【００６５】
図９は、循環吸込グリル８４’の装着後の構成例を示す斜視図である。図９に示す循環吸込グリル８４’の装着例によれば、図７に示した循環吸込グリル８４’の取手４８が設けられていない側の辺を循環ファンカバー部８１の上方側面の一辺（例えば、被係合部８９ａ〜８９ｃ側）に位置合わせをする。このとき、図１に示した突起状の係合部４９ａが凹状の被係合部８９ａに嵌合され、同様にして、係合部４９ｂが被係合部８９ｂに嵌合され、係合部４９ｃが被係合部８９ｃに各々嵌合される。
【００６６】
これらを支点にして、取手４８を反対側の辺に向かって押すようにすると、取手４８の裏面左右に設けられた図７に示した突起状の係合部４４ａ、４４ｂが、図３Ａに示した循環ファンカバー部８１の内側左右の上側面に位置する２つの被係合部８８ｃ、８８ｄに嵌合するようになされる。これにより、図９に示すようにフィルタ付きの循環吸込グリル８４’をパネル本体部８０の面位置に取り付けることができる。なお、フィルタ清掃時には、取手４８を軽く手前に引くことで、容易に、パネル本体８０から循環吸込グリル８４’を取り外すことができ、しかも、フィルタ付きの循環吸込グリル８４’をそのまま水洗い等することができる。
【００６７】
このように、第２の実施例としてのフロントパネル２８’によれば、メッシュ形状のフィルタ４７を循環吸込グリル８４’の循環吸込口４６に一体形成されているので、循環吸込グリル８４’を空調本体部１のフィルタ付きの循環吸込グリルとして機能させることができる。しかも、従来方式で二部品で構成されていた循環吸込グリルとフィルタとを一部品で構成できるようになり、当該浴室空調装置１００の部品点数を更に削減することができる。
【００６８】
このような係合構造で循環吸込グリル８４’をパネル本体８０に取り付けることで、第１の実施例と同様にして、係合用の孔８３ａ〜８３ｄを使用して止められたフロントパネル取付用のネジを目隠しできるようになる。従来方式のようなフロントパネル２８で目視容易で違和感があった、パネル表面の四隅のネジ孔を無くすことができ、フロントパネル取付用のネジが外部から見えない構造とすることができた。
【産業上の利用可能性】
【００６９】
本発明は、浴室や脱衣所等の室内に設置され、そのサニタリー空間を暖房や換気する浴室乾燥暖房機等に適用して極めて好適である。
される。
【符号の説明】
【００７０】
１・・・空調本体部、２・・・循環ユニット、７・・・循環ファンモータ、８・・・ファン、９・・・循環ファンケース、１１・・・循環吹出口、１１ａ・・・循環吹出グリル、１３・・・ヒータ、１４・・・換気ファンモータ、２０・・・換気ダクト取付部、２１・・・ダンパ、２２・・・ダンパモータ、２８，２８’・・・フロントパネル、３２・・・操作部、４６・・・循環吸込口、４７・・・フィルタ、４８・・・取手、４４ａ，４４ｂ，４９ａ〜４９ｃ・・・係合部、４５・・・仕切壁、６３・・・電源部ユニット、８０・・・パネル本体部、８１・・・循環ファンカバー部、８２・・・開口部、８３ａ〜８３ｄ・・・孔、８４，８４’・・・循環吸込グリル、８９ａ〜８９ｆ・・・被係合部、１００・・・浴室空調装置
【図１】
2011242132.tif 000003
【図２】
2011242132.tif 000004
【図３】
2011242132.tif 000005
【図４】
2011242132.tif 000006
【図５】
2011242132.tif 000007
【図６】
2011242132.tif 000008
【図７】
2011242132.tif 000009
【図８】
2011242132.tif 000010
【図９】
2011242132.tif 000011
【図１０】
2011242132.tif 000012
【手続補正書】
【提出日】平成23年10月5日(2011.10.5)
【手続補正１】
【補正対象書類名】特許請求の範囲
【補正対象項目名】全文
【補正方法】変更
【補正の内容】
【特許請求の範囲】
【請求項１】
回転駆動されるファン、及び回転駆動される前記ファンにより吸い込まれて吹き出される空気の風路を形成するファンケースを有した空調本体部と、
回転駆動される前記ファンで吸い込まれる空気が通る開口部を有すると共に、前記開口部の前面にフィルタが取り付けられる被係合部を有し、前記ファンケースの開口した前面に取り付けられるファンカバーと
を備えたことを特徴とする空調装置。
【請求項２】
前記ファンカバーは、
落ち込むように形成された段差底部に前記開口部が設けられる
ことを特徴とする請求項１に記載の空調装置。
【請求項３】
前記空調本体部は、前記ファンが長手方向の一方の側に偏って配置されると共に、回転駆動される前記ファンにより空気が吹き出される吹出口が、長手方向の他方の側に形成され、
前記吹出口は、前記空調本体部の長手方向に沿った辺の長さより、前記空調本体部の短手方向に沿った辺の長さを長くした長方形の開口である
ことを特徴とする請求項１または請求項２に記載の空調装置。
【手続補正３】
【補正対象書類名】明細書
【補正対象項目名】０００１
【補正方法】変更
【補正の内容】
【０００１】
本発明は、浴室や脱衣所等の室内に設置され、そのサニタリー空間を暖房や換気する浴室乾燥暖房機等に適用して好適な空調装置に関するものである。
【手続補正４】
【補正対象書類名】明細書
【補正対象項目名】０００４
【補正方法】変更
【補正の内容】
【０００４】
図１０Ａに示す浴室空調装置１０は、ファン６８を含む機器本体６１と、外観部品となるフロントパネル７８から構成されている。更に、機器本体６１は、ファン６８やファンモータ（図示せず）を含むキャビネットと空気を吹き出すための必要なファンケース６９という部品から構成されている。
【手続補正５】
【補正対象書類名】明細書
【補正対象項目名】０００７
【補正方法】変更
【補正の内容】
【０００７】
ファンに吸い込まれる空気が通るフィルタは、フロントパネルの裏側に取り付けられており、従来、ファンケースを構成する部材にフィルタを取り付けることはできなかった。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
そこで、本発明は、このような課題を解決するためになされたものであって、ファンに吸い込まれる空気が通るフィルタを、ファンケースを構成する部材に取り付けられるようにした空調装置を提供することを目的とする。
【手続補正９】
【補正対象書類名】明細書
【補正対象項目名】００１１
【補正方法】変更
【補正の内容】
【００１１】
上述した課題を解決するため、本発明に係る空調装置は、回転駆動されるファン、及び回転駆動されるファンにより吸い込まれて吹き出される空気の風路を形成するファンケースを有した空調本体部と、回転駆動されるファンで吸い込まれる空気が通る開口部を有すると共に、開口部の前面にフィルタが取り付けられる被係合部を有し、ファンケースの開口した前面に取り付けられるファンカバーとを備えたことを特徴とするものである。
【手続補正１０】
【補正対象書類名】明細書
【補正対象項目名】００１２
【補正方法】変更
【補正の内容】
【００１２】
本発明に係る空調装置によれば、ファンケースの開口した前面に取り付けられてファンケースとして機能するファンカバーにフィルタが取り付けられる。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
本発明に係る空調装置によれば、ファンケースの前面を覆うファンカバーに、フィルタを着脱可能に取り付けることができ、ファンケースとして機能する部材にフィルタを取り付けることができる。
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】変更
【補正の内容】
【００２２】
【図１】本発明に係る第１の実施例としての浴室空調装置１００の構成例を示す分解斜視図である。
【図２】Ａ及びＢは、ファン８と循環ファンカバー部８１との位置関係例を示す図である。
【図３】Ａ及びＢは、フロントパネル２８の構成例を示す下面図及びそのＢ−Ｂ矢視断面図である。
【図４】浴室空調装置１００の組立例（その１）を示す工程図である。
【図５】浴室空調装置１００の組立例（その２）を示す工程図である。
【図６】浴室空調装置１００の制御系の構成例を示すブロック図である。
【図７】第２実施例としてのフロントパネル２８’の構成例を示す斜視図である。
【図８】Ａ及びＢは、循環吸込グリル８４’のフィルタ４７の構成例を示す下面及びその断面の拡大図である。
【図９】循環吸込グリル８４’の装着後の構成例を示す斜視図である。
【図１０】従来例に係る浴室空調装置１０の構成例を示す斜視図である。
【手続補正２１】
【補正対象書類名】明細書
【補正対象項目名】００２３
【補正方法】変更
【補正の内容】
【００２３】
以下、図面を参照して、本発明に係る実施の形態としての空調装置について説明をする。
【手続補正２２】
【補正対象書類名】明細書
【補正対象項目名】００３０
【補正方法】変更
【補正の内容】
【００３０】
図２Ａ及びＢは、ファン８と循環ファンカバー部８１との位置関係例を示す図である。図２Ａは、浴室空調装置１００の構成例を示す下面図であり、図２Ｂは、図２ＡのＡ−Ａ矢視断面に、フロントパネル２８の断面図を組み合わせた図である。
図２Ａに示す空調本体部１は、下面が開口した鉄等の金属製のケースの内部に循環ファンケース９が取り付けられる。空調本体部１は、下面の形状が長方形であり、ファン８は、空調本体部１の長手方向の一方の側に偏って配置される。
【手続補正２３】
【補正対象書類名】明細書
【補正対象項目名】００３１
【補正方法】変更
【補正の内容】
【００３１】
循環ファンケース９は、図１にも示すように下面が開口すると共に、ファン８の回転による空気の吹出方向を、空調本体部１の長手方向に沿った方向とした吹出風路が形成される。ここで、ファン８の直径及び循環ファンケース９の大きさは、空調本体部１の短手方向の長さに合わせて設定される。
【手続補正２４】
【補正対象書類名】明細書
【補正対象項目名】００３２
【補正方法】変更
【補正の内容】
【００３２】
浴室空調装置１００は、吹出風路と連通した循環吹出口１１を循環ファンケース９の下面に備える。循環吹出口１１は、ファン８が回転駆動されることによる空気の吹出方向に沿った空調本体部１の長手方向の他方の側に形成され、空調本体部１の長手方向に沿った辺の長さより、空調本体部１の短手方向に沿った辺の長さを長くした長方形の開口である。
【手続補正２５】
【補正対象書類名】明細書
【補正対象項目名】００３３
【補正方法】変更
【補正の内容】
【００３３】
浴室空調装置１００は、循環吹出口１１にヒータ１３を備える。ヒータ１３は加熱手段の一例を構成し、例えばＰＴＣヒータで構成され、ヒータ１３に通電されると、ヒータ１３が加熱されることで循環吹出グリル１１ａを通る空気が加熱され、循環吹出口１１から温風が吹き出すようになされる。
【手続補正２６】
【補正対象書類名】明細書
【補正対象項目名】００３６
【補正方法】変更
【補正の内容】
【００３６】
更に、浴室空調装置１００は、吹出風路と連通した図示しない排気口を、ファン８の側部に備える。排気口は、ファン８が回転駆動されることによる空気の吹出方向に沿った空調本体部１の長手方向の他方の側面に形成され、空調本体部１は、排気口に換気ダクト取付部２０が取り付けられる。
【手続補正２７】
【補正対象書類名】明細書
【補正対象項目名】００３７
【補正方法】変更
【補正の内容】
【００３７】
浴室空調装置１００で循環ユニット２には、風路切替ダンパが備えられ、吸い込んだ空気を循環吹出口１１から吹き出すか、又は、屋外へ排出するかを切り替えるようになされる。風路切替ダンパ２１は、循環吹出口１１と排気口との間に設けられ、図示しないダンパモータの駆動力がカムを介して伝達され、軸を支点に回転して、循環吹出口１１と排気口との開閉動作を行う。
【手続補正２８】
【補正対象書類名】明細書
【補正対象項目名】００３９
【補正方法】変更
【補正の内容】
【００３９】
図２Ａに示した浴室空調装置１００の下には、図２Ｂに示すようにフロントパネル２８が取り付けられる。図２Ｂに示す循環ファンモータ７は、ファン８の回転軸が鉛直方向となるように、循環ファンケース９に取り付けられる。
【手続補正２９】
【補正対象書類名】明細書
【補正対象項目名】００４２
【補正方法】変更
【補正の内容】
【００４２】
図３Ａ及びＢは、フロントパネル２８の構成例を示す下面図及びそのＢ−Ｂ矢視断面図である。
図３Ａに示すフロントパネル２８は、循環吹出グリル１１ａ及び循環ファンカバー部８１を有している。循環ファンカバー部８１には、複数個のフロントパネル取付用（係合用）の孔８３ａ〜８３ｄが設けられる。例えば、４個の孔８３ａ〜８３ｄが循環ファンカバー部８１の隅部とその中央部に設けられ、パネル本体部８０を空調本体部１に取り付けるためのネジを通すように使用される。隅部には、孔８３ｃ及び８３ｄが設けられ、その中央部には孔８３ａ及び８３ｂが各々設けられる。この例で両側の側面中央部を円弧状に仕切壁４５で結ばれており、循環吸込口４６から吸い込んだ空気の吸込方向をガイドするようになされている。
【手続補正３０】
【補正対象書類名】明細書
【補正対象項目名】００５５
【補正方法】変更
【補正の内容】
【００５５】
また、ダンパモータ２２へダンパ駆動電圧Ｖ２２を出力してダンパ制御を実行する。例えば、換気運転モードや、涼風運転モード等が設定されたとき、ダンパモータ２２へダンパ駆動電圧Ｖ２２を出力して、風路切替ダンパ２１を駆動して風路を切替えるようになされる。風路切替ダンパ２１は風路切替手段の一例を構成し、換気ユニット３から送り込まれた空気を循環吹出グリル５から吹き出すか、屋外へ排出するかを切り替えるようになされる。
【手続補正３１】
【補正対象書類名】明細書
【補正対象項目名】００５７
【補正方法】変更
【補正の内容】
【００５７】
従って、当該フロントパネル２８の循環ファンカバー部８１を空調本体部１のファンケースとして機能させることができ、ファンケースとして機能する循環ファンカバー部８１に、フィルタが作り込まれた循環吸込グリル８４を取り付けることができると共に、当該循環ファンカバー部８１の周囲のパネル本体部８０を外観パネルとして機能させることができる。これにより、従来方式で二部品で構成されていたフロントパネルとファンケースとを一部品で構成できるようになり、当該浴室空調装置１００の部品点数を削減することができる。
【手続補正３２】
【補正対象書類名】明細書
【補正対象項目名】００５９
【補正方法】変更
【補正の内容】
【００５９】
この実施例で、循環吸込グリル８４’にメッシュ状のフィルタ４７を作り込んだものである。すなわち、循環吸込グリル８４’の循環吸込口４６がフィルタ構造を成している。このようにすると、空調本体部１からパネル本体部８０を外さなくても、パネル本体部８０から循環吸込グリル８４を外すことで容易にフィルタ４７を清掃できるようになる。
【手続補正３３】
【補正対象書類名】明細書
【補正対象項目名】００６１
【補正方法】変更
【補正の内容】
【００６１】
図中、波線楕円Ｉに示す循環吸込口４６の部分を図８に示している。図８Ａ及びＢは、循環吸込グリル８４’のフィルタ４７の構成例を示す下面及びその断面の拡大図である。
【手続補正３４】
【補正対象書類名】明細書
【補正対象項目名】００６６
【補正方法】変更
【補正の内容】
【００６６】
これらを支点にして、取手４８を反対側の辺に向かって押すようにすると、取手４８の裏面左右に設けられた図７に示した突起状の係合部４４ａ、４４ｂが、図３Ａに示した循環ファンカバー部８１の内側左右の上側面に位置する２つの被係合部８８ｃ、８８ｄに嵌合するようになされる。これにより、図９に示すようにフィルタ付きの循環吸込グリル８４’をパネル本体部８０の面位置に取り付けることができる。なお、フィルタ清掃時には、取手４８を軽く手前に引くことで、容易に、パネル本体部８０から循環吸込グリル８４’を取り外すことができ、しかも、フィルタ付きの循環吸込グリル８４’をそのまま水洗い等することができる。
【手続補正３５】
【補正対象書類名】明細書
【補正対象項目名】００６８
【補正方法】変更
【補正の内容】
【００６８】
このような係合構造で循環吸込グリル８４’をパネル本体部８０に取り付けることで、第１の実施例と同様にして、係合用の孔８３ａ〜８３ｄを使用して止められたフロントパネル取付用のネジを目隠しできるようになる。従来方式のようなフロントパネル７８で目視容易で違和感があった、パネル表面の四隅のネジ孔を無くすことができ、フロントパネル取付用のネジが外部から見えない構造とすることができた。
【手続補正３６】
【補正対象書類名】図面
【補正対象項目名】図１
【補正方法】変更
【補正の内容】
【図１】
2011242132.tif 000013
【手続補正３７】
【補正対象書類名】図面
【補正対象項目名】図２
【補正方法】変更
【補正の内容】
【図２】
2011242132.tif 000014
【手続補正３８】
【補正対象書類名】図面
【補正対象項目名】図６
【補正方法】変更
【補正の内容】
【図６】
2011242132.tif 000015
【手続補正３９】
【補正対象書類名】図面
【補正対象項目名】図７
【補正方法】変更
【補正の内容】
【図７】
2011242132.tif 000016
【手続補正４０】
【補正対象書類名】図面
【補正対象項目名】図１０
【補正方法】変更
【補正の内容】
【図１０】
2011242132.tif 000017